(57)【要約】      （修正有）【課題】アイドル運転を安定化させることができるエンジンの蒸発燃料処理装置を提供する。【解決手段】燃料タンク５の蒸発燃料９をキャニスタ１の吸着体に吸着させ、エンジン運転中、吸気通路７で発生する吸気負圧で空気入口３からキャニスタ１に空気１０を吸入し、この空気１０でキャニスタ１の吸着体に吸着させた蒸発燃料９を離脱させ、空気１０に蒸発燃料９を混入させたパージガス１１をパージガス吸込口８から吸気通路７に吸い込ませるようにし、スロットルボディ１２のスロットル吸気通路１３にスロットル弁１４を設け、スロットルボディ１２の吸気上流側に吸気管１５を配置し、この吸気管１５をスロットル吸気通路１３と連通させ、この吸気管１５の周壁１６にパージガス吸込管１７を取り外し自在に取り付け、このパージガス吸込管１７内にパージガス吸込口８を設けた。【選択図】図１
2010203430.tif 000002
【特許請求の範囲】
【請求項１】
キャニスタ(１)に蒸発燃料入口(２)と空気入口(３)とパージガス出口(４)とを設け、蒸発燃料入口(２)を燃料タンク(５)の蒸発燃料出口(６)に連通させ、空気入口(３)を大気に連通させ、パージガス出口(４)を吸気通路(７)のパージガス吸込口(８)に連通させ、燃料タンク(５)の蒸発燃料(９)をキャニスタ(１)の吸着体に吸着させ、エンジン運転中、吸気通路(７)で発生する吸気負圧で空気入口(３)からキャニスタ(１)に空気(１０)を吸入し、この空気(１０)でキャニスタ(１) の吸着体に吸着させた蒸発燃料(９)を離脱させ、空気(１０)に蒸発燃料(９)を混入させたパージガス(１１)をパージガス吸込口(８)から吸気通路(７)に吸い込ませるようにしたエンジンの蒸発燃料処理装置において、
吸気通路(７)にスロットルボディ(１２)を配置し、このスロットルボディ(１２)のスロットル吸気通路(１３)にスロットル弁(１４)を設け、
スロットルボディ(１２)の吸気上流側に吸気管(１５)を配置し、この吸気管(１５)をスロットル吸気通路(１３)と連通させ、この吸気管(１５)の周壁(１６)にパージガス吸込管(１７)を取り外し自在に取り付け、このパージガス吸込管(１７)内にパージガス吸込口(８)を設けた、ことを特徴とするエンジンの蒸発燃料処理装置。
【請求項２】
請求項１に記載したエンジンの蒸発燃料処理装置において、
エンジン運転中、吸気通路(７)で発生する吸気負圧で、ブリーザ室(１９)から吸気管(１５)にブローバイガス(２０)を吸い込ませるに当たり、
吸気管(１５)の周壁(１６)にブローバイガス吸込管(１８)を取り付け、このブローバイガス吸込管(１８)をブリーザ室(１９)に連通させた、ことを特徴とするエンジンの蒸発燃料処理装置。
【請求項３】
請求項１または請求項２のいずれかに記載したエンジンの蒸発燃料処理装置において、
スロットル弁(１４)の上流側で、スロットルボディ(１２)のスロットル吸気通路(１３)にチョーク弁(２６)を配置した、ことを特徴とするエンジンの蒸発燃料処理装置。
【請求項４】
請求項２に記載したエンジンの蒸発燃料処理装置において、
吸気管(１５)の水平管部分(１５ａ)の上周壁(１５ｂ)にパージガス吸込管(１７)を下向きにして取り付けた、ことを特徴とするエンジンの蒸発燃料処理装置。
【請求項５】
請求項４に記載したエンジンの蒸発燃料処理装置において、
パージガス吸込管(１７)を斜め下向きとした、ことを特徴とするエンジンの蒸発燃料処理装置。
【請求項６】
請求項４または請求項５に記載したエンジンの蒸発燃料処理装置において、
吸気管(１５)の水平管部分(１５ａ)の上周壁(１５ｂ)にブローバイガス吸込管(１８)のブローバイガス出口通路(１８ａ)を下向きにして取り付けた、ことを特徴とするエンジンの蒸発燃料処理装置。
【請求項７】
請求項６に記載したエンジンの蒸発燃料処理装置において、
ブローバイガス吸込管(１８)のブローバイガス出口通路(１８ａ)を斜め下向きとした、ことを特徴とするエンジンの蒸発燃料処理装置。
【請求項８】
請求項６または請求項７に記載したエンジンの蒸発燃料処理装置において、
吸気管(１５)の水平管部分(１５ａ)の上周壁(１５ｂ)にブローバイガス吸込管(１８)とパージガス吸込管(１７)とを左右に振り分けて配置した、ことを特徴とするエンジンの蒸発燃料処理装置。
【請求項９】
請求項２、請求項４から請求項８のいずれかに記載したエンジンの蒸発燃料処理装置において、
パージガス吸込管(１７)は、ブローバイガス吸込管(１８)の吸気下流側にならない位置に配置した、ことを特徴とするエンジンの蒸発燃料処理装置。
【請求項１０】
請求項１から請求項９のいずれかに記載したエンジンの蒸発燃料処理装置において、
スロットルボディ(１２)の吸気入口部(１２ａ)に吸気管(１５)の吸気出口部(１５ｃ)を接続し、この吸気管(１５)の吸気出口部(１５ｃ)にパージガス吸込管(１７)を取り付けた、ことを特徴とするエンジンの蒸発燃料処理装置。
【請求項１１】
請求項１０に記載したエンジンの蒸発燃料処理装置において、
吸気管(１５)の吸気出口部(１５ｃ)は内径が変化しない管部分で構成した、ことを特徴とするエンジンの蒸発燃料処理装置。
【発明の詳細な説明】
【技術分野】
【０００１】
本発明は、エンジンの蒸発燃料処理装置に関し、詳しくは、アイドル運転を安定化させることができるエンジンの蒸発燃料処理装置に関する。
【背景技術】
【０００２】
従来、キャニスタに蒸発燃料入口と空気入口とパージガス出口とを設け、蒸発燃料入口を燃料タンクの蒸発燃料出口に連通させ、空気入口を大気に連通させ、パージガス出口を吸気通路のパージガス吸込口に連通させ、燃料タンクの蒸発燃料をキャニスタの吸着体に吸着させ、エンジン運転中、吸気通路で発生する吸気負圧で空気入口からキャニスタに空気を吸入し、この空気でキャニスタの吸着体に吸着させた蒸発燃料を離脱させ、空気に蒸発燃料を混入させたパージガスをパージガス吸込口から吸気通路に吸い込ませるようにしたエンジンの蒸発燃料処理装置がある(例えば、特許文献１参照)。
この種のエンジンの蒸発燃料処理装置によれば、燃料タンクの蒸発燃料を吸気通路に吸い込んで、燃焼室で燃焼させ、大気中に蒸発燃料が放出される不具合を防止することができる利点がある。
しかし、この従来技術では、スロットル弁の吸気下流側にパージガス吸込口が配置されているため、問題がある。
【先行技術文献】
【特許文献】
【０００３】
【特許文献１】特開平７−１８９８３１号公報(図１参照)
【発明の概要】
【発明が解決しようとする課題】
【０００４】
《問題》  アイドル運転が不安定になりやすい。
スロットル弁の吸気下流側にパージガス吸込口が配置されているため、スロットル弁が全閉になる、或いは全閉近くになるアイドル運転時には、スロットル弁の吸気下流側に発生する大きな吸気負圧でパージガス吸込口から吸気通路に多くのパージガスが吸い込まれ、パージガスによって空燃混合比が大きく変動し、アイドル運転が不安定になりやすい。
【０００５】
本発明の課題は、アイドル運転を安定化させることができるエンジンの蒸発燃料処理装置を提供することにある。
【課題を解決するための手段】
【０００６】
請求項１に係る発明の発明特定事項は、次の通りである。
図１(Ａ)(Ｂ)、図４(Ａ)(Ｂ)または図６(Ａ)(Ｂ)に例示するように、キャニスタ(１)に蒸発燃料入口(２)と空気入口(３)とパージガス出口(４)とを設け、蒸発燃料入口(２)を燃料タンク(５)の蒸発燃料出口(６)に連通させ、空気入口(３)を大気に連通させ、パージガス出口(４)を吸気通路(７)のパージガス吸込口(８)に連通させ、燃料タンク(５)の蒸発燃料(９)をキャニスタ(１)の吸着体に吸着させ、エンジン運転中、吸気通路(７)で発生する吸気負圧で空気入口(３)からキャニスタ(１)に空気(１０)を吸入し、この空気(１０)でキャニスタ(１)の吸着体に吸着させた蒸発燃料(９)を離脱させ、空気(１０)に蒸発燃料(９)を混入させたパージガス(１１)をパージガス吸込口(８)から吸気通路(７)に吸い込ませるようにしたエンジンの蒸発燃料処理装置において、
吸気通路(７)にスロットルボディ(１２)を配置し、このスロットルボディ(１２)のスロットル吸気通路(１３)にスロットル弁(１４)を設け、
スロットルボディ(１２)の吸気上流側に吸気管(１５)を配置し、この吸気管(１５)をスロットル吸気通路(１３)と連通させ、この吸気管(１５)の周壁(１６)にパージガス吸込管(１７)を取り外し自在に取り付け、このパージガス吸込管(１７)内にパージガス吸込口(８)を設けた、ことを特徴とするエンジンの蒸発燃料処理装置。
【発明の効果】
【０００７】
(請求項１に係る発明)
請求項１に係る発明は、次の効果を奏する。
《効果》  アイドル運転を安定化させることができる。
図１(Ａ)(Ｂ) 、図４(Ａ)(Ｂ)または図６(Ａ)(Ｂ)に例示するように、スロットル弁(１４)の吸気上流側にパージガス吸込口(８)が配置されているので、スロットル弁(１４)が全閉になる、或いは全閉近くになるアイドル運転時、スロットル弁(１４)の吸気上流側には、スロットル弁(１４)の吸気下流側のような大きな吸気負圧は発生せず、パージガス吸込口(８)から多くのパージガス(１１)が吸引されることがなく、パージガス(１１)による空燃混合比の変動は小さく、アイドル運転を安定化させることができる。
【０００８】
《効果》  スロットルボディの吸気特性を狂わせることがない。
図１(Ａ)(Ｂ) 、図４(Ａ)(Ｂ)または図６(Ａ)(Ｂ)に例示するように、スロットルボディ(１２)の吸気上流側に吸気管(１５)を配置し、この吸気管(１５)をスロットル吸気通路(１３)と連通させ、この吸気管(１５)の周壁(１６)にパージガス吸込管(１７)を取り外し自在に取り付け、このパージガス吸込管(１７)内にパージガス吸込口(８)を設けたので、スロットルボディ(１２)のスロットル吸気通路(１３)にパージガス吸込口(８)を設ける場合とは異なり、スロットルボディ(１２)の吸気特性を狂わせることがない。
【０００９】
《効果》  パージガス吸込口のない既存のスロットルボディをそのまま用いることができる。
図１(Ａ)(Ｂ) 、図４(Ａ)(Ｂ)または図６(Ａ)(Ｂ)に例示するように、スロットルボディ(１２)の吸気上流側に吸気管(１５)を配置し、この吸気管(１５)をスロットル吸気通路(１３)と連通させ、この吸気管(１５)の周壁(１６)にパージガス吸込管(１７)を取り外し自在に取り付け、このパージガス吸込管(１７)内にパージガス吸込口(８)を設けたので、パージガス吸込口(８)のない既存のスロットルボディ(１２)をそのまま用いることができる。
【００１０】
《効果》  汎用エンジンに好適に用いることができる。
図１(Ａ)(Ｂ) 、図４(Ａ)(Ｂ)または図６(Ａ)(Ｂ)に例示するように、吸気管(１５)の周壁(１６)にパージガス吸込管(１７)を取り外し自在に取り付け、このパージガス吸込管(１７)内にパージガス吸込口(８)を設けたので、燃料タンク(５)の大きさ等に合わせてパージガス(１１)の吸込量を設定する必要がある汎用エンジンでは、口径の異なるパージガス吸込口(８)を備えた複数種のパージガス吸込管(１７)を用意しておき、最適のパージガス吸込管(１７)を吸気管(１５)に取り付けて使用すればよく、この蒸発燃料処理装置は汎用エンジンに好適に用いることができる。
【００１１】
(請求項２に係る発明)
請求項２に係る発明は、請求項１に係る発明の効果に加え、次の効果を奏する。
《効果》  アイドル運転を安定化させることができる。
図１(Ａ)(Ｂ) 、図４(Ａ)(Ｂ)または図６(Ａ)(Ｂ)に例示するように、吸気管(１５)の周壁(１６)にブローバイガス吸込管(１８)を取り付け、このブローバイガス吸込管(１８)をブリーザ室(１９)に連通させたので、スロットル弁(１４)が全閉になる、或いは全閉近くになるアイドル運転時、スロットル弁(１４)の吸気上流側には、スロットル弁(１４)の吸気下流側のような大きな吸気負圧は発生せず、ブローバイガス吸込管(１８)から多くのブローバイガス(２０)が吸引されることがなく、ブローバイガス(２０)による空燃混合比の変動は小さく、アイドル運転を安定化させることができる。
【００１２】
(請求項３に係る発明)
請求項３に係る発明は、請求項１または請求項２に係る発明の効果に加え、次の効果を奏する。
《効果》  冷間始動の失敗を抑制することができる。
図１(Ａ) 、図４(Ａ)または図６(Ａ)に例示するように、スロットル弁(１４)の上流側で、スロットルボディ(１２)のスロットル吸気通路(１３)にチョーク弁(２６)を配置したので、チョーク弁(２６)が全閉になる、或いは全閉近くになる冷間始動時、チョーク弁(２６)の吸気上流側には、チョーク弁(２６)の吸気下流側のような大きな吸気負圧は発生せず、パージガス吸込口(８)から多くのパージガス(１１)や空気(１０)が吸引されることがなく、パージガス(１１)や空気(１０)による空燃混合比の変動は小さく、冷間始動の失敗を抑制することができる。
【００１３】
(請求項４に係る発明)
請求項４に係る発明は、請求項２に係る発明の効果に加え、次の効果を奏する。
《効果》  パージガス吸込管の腐食を抑制することができる。
図１(Ａ) 、図４(Ａ)または図６(Ａ)に例示するように、吸気管(１５)の水平管部分(１５ａ)の上周壁(１５ｂ)にパージガス吸込管(１７)を下向きにして取り付けたので、ブローバイガス(２０)中の水分の凝縮水がパージガス吸込管(１７)に進入しても、この凝縮水はパージガス吸込管(１７)から自重で流出する。このため、凝縮水に含まれる硫酸成分によるパージガス吸込管(１７)の腐食を抑制することができる。
【００１４】
(請求項５に係る発明)
請求項５に係る発明は、請求項４に係る発明の効果に加え、次の効果を奏する。
《効果》  装置の全高を低くすることができる。
図１(Ａ) 、図４(Ａ)または図６(Ａ)に例示するように、パージガス吸込管(１７)を斜め下向きとしたので、パージガス吸込管(１７)を垂直下向きとした場合よりもパージガス吸込管(１７)の高さを低くすることができ、装置の全高を低くすることができる。
【００１５】
(請求項６に係る発明)
請求項６に係る発明は、請求項４または請求項５に係る発明の効果に加え、次の効果を奏する。
《効果》  ブローバイガス吸込管の腐食を抑制することができる。
図１(Ａ) 、図４(Ａ)または図６(Ａ)に例示するように、吸気管(１５)の水平管部分(１５ａ)の上周壁(１５ｂ)にブローバイガス吸込管(１８)のブローバイガス出口通路(１８ａ)を下向きにして取り付けたので、ブローバイガス(２０)中の水分がブローバイガス吸込管(１８)内で凝縮しても、この凝縮水はブローバイガス吸込管(１８)内から自重で流出する。このため、凝縮水に含まれる硫酸成分によるブローバイガス吸込管(１８)の腐食を抑制することができる。
【００１６】
(請求項７に係る発明)
請求項７に係る発明は、請求項６に係る発明の効果に加え、次の効果を奏する。
《効果》  装置の全高を低くすることができる。
図１(Ａ) 、図４(Ａ)または図６(Ａ)に例示するように、ブローバイガス吸込管(１８)のブローバイガス出口通路(１８ａ)を斜め下向きとしたので、ブローバイガス吸込管(１８)を垂直下向きとした場合よりもブローバイガス吸込管(１８)の高さを低くすることができ、装置の全高を低くすることができる。
【００１７】
(請求項８に係る発明)
請求項８に係る発明は、請求項６または請求項７に係る発明の効果に加え、次の効果を奏する。
《効果》  ブローバイガス吸込管とパージガス吸込管とを相互に干渉することなく配置することができる。
図１(Ａ) 、図４(Ａ)または図６(Ａ)に例示するように、吸気管(１５)の水平管部分(１５ａ)の上周壁(１５ｂ)にブローバイガス吸込管(１８)とパージガス吸込管(１７)とを左右に振り分けて配置したので、ブローバイガス吸込管(１８)とパージガス吸込管(１７)とを相互に干渉することなく配置することができる。
【００１８】
(請求項９に係る発明)
請求項９に係る発明は、請求項２、請求項４から請求項８のいずれかに係る発明の効果に加え、次の効果を奏する。
《効果》  パージガス吸込管の腐食を抑制することができる。
図１(Ａ) 、図４(Ａ)または図６(Ａ)に例示するように、パージガス吸込管(１７)は、ブローバイガス吸込管(１８)の吸気下流側にならない位置に配置したので、ブローバイガス(２０)中の水分の凝縮水がパージガス吸込管(１７)に進入しにくく、凝縮水に含まれる硫酸成分によるパージガス吸込管(１７)の腐食を抑制することができる。
【００１９】
(請求項１０に係る発明)
請求項１０に係る発明は、請求項１から請求項９のいずれかに係る発明の効果に加え、次の効果を奏する。
《効果》  吸気管の形状に拘わらず、アイドル運転安定化等に関し、同等の機能を得ることができる。
図１(Ａ) 、図４(Ａ)または図６(Ａ)に例示するように、スロットルボディ(１２)の吸気入口部(１２ａ)に吸気管(１５)の吸気出口部(１５ｃ)を接続し、この吸気管(１５)の吸気出口部(１５ｃ)にパージガス吸込管(１７)を取り付けると、異なる形状の吸気管(１５)であっても、パージガス吸込管(１７)からのパージガス(１１)の吸込み量をほぼ同じにできることが分かった。このため、吸気管(１５)の形状に拘わらず、アイドル運転安定化等に関し、同等の機能を得ることができる。
【００２０】
(請求項１１に係る発明)
請求項１１に係る発明は、請求項１から請求項１０のいずれかに係る発明の効果に加え、次の効果を奏する。
《効果》  アイドル運転を安定化させることができる。
図１(Ａ) 、図４(Ａ)または図６(Ａ)に例示するように、吸気管(１５)の吸気出口部(１５ｃ)は内径が変化しない管部分で構成したので、吸気管(１５)の吸気出口部(１５ｃ)にベンチュリ部を設けた場合に比べ、スロットル弁(１４)が全閉になる、或いは全閉近くになるアイドル運転時に、吸気出口部(１５ｃ)に大きな吸気負圧は発生せず、パージガス吸込口(８)から多くのパージガス(１１)が吸引されることがなく、パージガス(１１)による空燃混合比の変動は小さく、アイドル運転を安定化させることができる。
【図面の簡単な説明】
【００２１】
【図１】本発明の第１実施形態に係るエンジンの蒸発燃料処理装置を説明する図で、図１(Ａ)は吸気管とその周辺部品の横断平面図、図１(Ｂ)は図１(Ａ)のＢ−Ｂ線断面図である。
【図２】図１の装置で用いる吸気管を説明する図で、図２(Ａ)は平面図、図２(Ｂ)は正面図である。
【図３】図１の装置を備えたエンジンを説明する図で、図３(Ａ)は要部平面図、図３(Ｂ)は要部側面図である。
【図４】本発明の第２実施形態に係るエンジンの蒸発燃料処理装置を説明する図で、図４(Ａ)は吸気管とその周辺部品の横断平面図、図４(Ｂ)は図４(Ａ)のＢ−Ｂ線断面図である。
【図５】図４の装置で用いる吸気管を説明する図で、図５(Ａ)は平面図、図５(Ｂ)は正面図である。
【図６】本発明の第３実施形態に係るエンジンの蒸発燃料処理装置を説明する図で、図６(Ａ)は吸気管とその周辺部品の横断平面図、図６(Ｂ)は図６(Ａ)のＢ−Ｂ線断面図である。
【図７】図６の装置で用いる吸気管を説明する図で、図７(Ａ)は平面図、図７(Ｂ)は正面図である。
【発明を実施するための形態】
【００２２】
図１〜図３は本発明の第１実施形態、図４、図５は第２実施形態、図６、図７は第３実施形態に係るエンジンの蒸発燃料処理装置を説明する図であり、この各実施形態では、立形多気筒の汎用ガソリンエンジンの蒸発燃料処理装置について説明する。
【００２３】
まず、第１実施形態について説明する。
図３に示すように、シリンダヘッドの横側に吸気マニホルド(２１)を取り付け、この吸気マニホルド(２１)の吸気入口(２２)にキャブレータ(２３)のスロットルボディ(１２)がを取り付け、このスロットルボディ(１２)に吸気管(１５)を取り付けている。このスロットルボディ(１２)と吸気管(１５)とキャニスタ(１)等により蒸発燃料処理装置が構成されている。
【００２４】
蒸発燃料処理装置の概要は、次の通りである。
図１(Ａ)に示すように、キャニスタ(１)に蒸発燃料入口(２)と空気入口(３)とパージガス出口(４)とを設け、蒸発燃料入口(２)を燃料タンク(５)の蒸発燃料出口(６)に連通させ、空気入口(３)を大気に連通させ、パージガス出口(４)を吸気通路(７)のパージガス吸込口(８)に連通させ、燃料タンク(５)の蒸発燃料(９)をキャニスタ(１)の吸着体に吸着させ、エンジン運転中、吸気通路(７)で発生する吸気負圧で空気入口(３)からキャニスタ(１)に空気(１０)を吸入し、この空気(１０)でキャニスタ(１)の吸着体に吸着させた蒸発燃料(９)を離脱させ、空気(１０)に蒸発燃料(９)を混入させたパージガス(１１)をパージガス吸込口(８)から吸気通路(７)に吸い込ませるようにしている。キャニスタ(１)の吸着体には、活性炭が用いられている。
【００２５】
キャニスタ(１)の蒸発燃料入口(２)と燃料タンク(５)の蒸発燃料出口(６)とは蒸発燃料通路(２４)で連通させ、蒸発燃料通路(２４)には蒸発燃料弁(２５)を設け、この蒸発燃料弁(２５)は燃料タンク(５)の内圧が所定値未満の場合には閉弁し、所定値以上になると開弁するようになっている。このため、燃料タンク(５)の周囲温度が高く、蒸発燃料(９)の発生量が多い場合には、燃料タンク(５)の内圧が高まり、蒸発燃料弁(２５)が開弁し、燃料タンク(５)で発生した蒸発燃料(９)が蒸発燃料通路(２４)を介してキャニスタ(１)に流入して、吸着体に吸着される。そして、燃料タンク(５)の周囲温度が低下し、蒸発燃料の発生量が少なくなると、燃料タンク(５)の内圧が低くなり、蒸発燃料弁(２５)は閉弁する。
【００２６】
具体的に説明すると次の通りである。
エンジン運転中、燃料タンク(５)の周囲温度が高く、蒸発燃料(９)の発生量が多い場合には、蒸発燃料弁(２５)が開弁し、蒸発燃料(９)がキャニスタ(１)の吸着体に吸着されるとともに、吸気通路(７)で発生する吸気負圧で空気入口(３)からキャニスタ(１)に空気(１０)が吸入され、この空気(１０)でキャニスタ(１)の吸着体に吸着された蒸発燃料(９)が離脱され、空気(１０)に蒸発燃料(９)を混入させたパージガス(１１)がパージガス吸込口(８)から吸気通路(７)に吸い込まれる。
【００２７】
エンジン運転中、エンジン負荷の低下によるエンジンの発熱量の低下、或いは、燃料タンク(５)の周囲の冷却等により、燃料タンク(５)の周囲温度が低くなり、蒸発燃料(９)の発生量が少なくなると、蒸発燃料弁(２５)が閉弁し、キャニスタ(１)の吸着体への蒸発燃料(９)の吸着は停止され、キャニスタ(１)の吸着体に吸着された蒸発燃料(９)は空気入口(３)から吸入した空気(１０)で離脱され、空気(１０)に蒸発燃料(９)を混入させたパージガス(１１)がパージガス吸込口(８)から吸気通路(７)に吸い込まれる。
夏場にはエンジン停止中でも燃料タンク(５)の周囲温度が高く、蒸発燃料(９)の発生量が多いため、蒸発燃料弁(２５)が開弁し、蒸発燃料(９)がキャニスタ(１)の吸着体に吸着される。そして、エンジン運転中、燃料タンク(５)の周囲の冷却等により、燃料タンク(５)の周囲温度が低くなり、蒸発燃料(９)の発生量が少なくなると、蒸発燃料弁(２５)が閉弁し、キャニスタ(１)の吸着体への蒸発燃料(９)の吸着は停止され、空気入口(３)からキャニスタ(１)に吸入された空気(１０)でキャニスタ(１)の吸着体に吸着された蒸発燃料(９)が離脱され、空気(１０)に蒸発燃料(９)を混入させたパージガス(１１)がパージガス吸込口(８)から吸気通路(７)に吸い込まれる。
【００２８】
蒸発燃料処理装置の工夫は、次の通りである。
図１(Ａ)に示すように、吸気通路(７)にスロットルボディ(１２)を配置し、このスロットルボディ(１２)のスロットル吸気通路(１３)にスロットル弁(１４)を設けている。
図１(Ａ)(Ｂ)に示すように、スロットルボディ(１２)の吸気上流側に吸気管(１５)を配置し、この吸気管(１５)をスロットル吸気通路(１３)と連通させ、この吸気管(１５)の周壁(１６)にパージガス吸込管(１７)を取り外し自在に取り付け、このパージガス吸込管(１７)内にパージガス吸込口(８)を設けている。
【００２９】
図１(Ａ)に示すように、パージガス吸込管(１７)の先端外周面にオネジ部(２７)を設け、図１(Ｂ)に示すように、このオネジ部(２７)を吸気管(１５)の周面のメネジ孔(２８)にネジ嵌合させている。パージガス吸込管(１７)の基端部にはキャニスタ連通パイプ(３３)の先端部を嵌合させ、パージガス吸込管(１７)の基端部はキャニスタ(１)のパージガス出口(４)に接続させ、パージガス吸込管(１７)のパージガス吸込口(８)をキャニスタ連通パイプ(３３)を介してキャニスタ(１)のパージガス出口(４)に連通させている。
図２(Ａ)(Ｂ)に示すように、吸気管(１５)はエルボ管であり、基端側の水平管部分(１５ａ)と先端側の垂直管部分(１５ｅ)とを備え、基端部にはフランジ(３５)を設け、図１(Ａ)に示すように、フランジ(３５)でスロットルボディ(１２)に組み付け、吸気管(１５)の先端部にはエアクリーナ連通パイプ(２９)の先端部を嵌合させ、エアクリーナ連通パイプ(２９)の基端部はエアクリーナ(３０)に接続し、吸気管(１５)の内部通路を下流のスロットル吸気通路(１３)に連通させるとともに、上流のエアクリーナ連通パイプ(２９)を介してエアクリーナ(３０)に連通させている。
【００３０】
図１(Ａ)に示すように、エンジン運転中、吸気通路(７)で発生する吸気負圧で、ブリーザ室(１９)から吸気管(１５)にブローバイガス(２０)を吸い込ませるに当たり、吸気管(１５)の周壁(１６)にブローバイガス吸込管(１８)を取り付け、このブローバイガス吸込管(１８)をブリーザ室(１９)に連通させている。
図１(Ｂ)に示すように、ブローバイガス吸込管(１８)の基端側のブローバイガス出口通路(１８ａ)は、吸気管(１５)の周壁の取付孔(３６)に嵌入し、先端側のブローバイガス入口通路(１８ｂ)にはブリーザ室連通パイプ(３４)の先端部を外嵌させ、ブリーザ室連通パイプ(３４)の基端部はブリーザ室(１９)に接続し、ブローバイガス吸込管(１８)をブリーザ室連通パイプ(３４)を介してブリーザ室(１９)と連通させている。
ブリーザ室(１９)はクランクケース(図外)と連通させ、シリンダ(図外)から漏れたブローバイガス(２０)が流入する。
【００３１】
図１(Ａ)に示すように、スロットル弁(１４)の上流側で、スロットルボディ(１２)のスロットル吸気通路(１３)にチョーク弁(２６)を設けている。チョーク弁(２６)とスロットル弁(１４)との間にはベンチュリ(３１)が設けられ、このベンチュリ(３１)でメインノズル(３２)の燃料出口を開口させている。
【００３２】
この蒸発燃料処理装置では、チョーク弁(２６)の上流にパージガス吸込口(８)とブローバイガス吸込管(１８)とを配置しているので、チョーク弁(２６)が全閉になる、或いは全閉近くになる冷間始動時、チョーク弁(２６)の吸気上流側には、チョーク弁(２６)の吸気下流側のような大きな吸気負圧は発生せず、パージガス吸込口(８)やブローバイガス吸込管(１８)から多くのパージガス(１１)や空気(１０)やブローバイガス(２０)が吸引されることがなく、パージガス(１１)や空気(１０)やブローバイガス(２０)による空燃混合比の変動は小さく、冷間始動の失敗を抑制することができる。
【００３３】
他の工夫は、次の通りである。
図１(Ａ)に示すように、吸気管(１５)の水平管部分(１５ａ)の上周壁(１５ｂ)にパージガス吸込管(１７)を斜め下向きにして取り付けている。
吸気管(１５)の水平管部分(１５ａ)の上周壁(１５ｂ)にブローバイガス吸込管(１８)のブローバイガス出口通路(１８ａ)を斜め下向きにして取り付けている。ブローバイガス吸込管(１８)のブローバイガス入口通路(１８ｂ)は垂直下向きになっている。
吸気管(１５)の水平管部分(１５ａ)の上周壁(１５ｂ)にブローバイガス吸込管(１８)とパージガス吸込管(１７)とを左右に振り分けて配置している。
吸気管(１５)の水平管部分(１５ａ)を真上から見て、その幅方向を左右横方向として、パージガス吸込管(１７)は、ブローバイガス吸込管(１８)の真横の位置に配置している。パージガス吸込管(１７)は、ブローバイガス吸込管(１８)の吸気上流側に配置してもよい。
すなわち、パージガス吸込管(１７)は、ブローバイガス吸込管(１８)の吸気下流側にならない位置に配置する。
【００３４】
スロットルボディ(１２)の吸気入口部(１２ａ)に吸気管(１５)の吸気出口部(１５ｃ)を接続し、この吸気管(１５)の吸気出口部(１５ｃ)にパージガス吸込管(１７)とブローバイガス吸込管(１８)とを取り付けている。このようにすると、異なる形状の吸気管(１５)であっても、パージガス吸込管(１７)からのパージガス(１１)の吸込み量と、ブローバイガス吸込管(１８)からのブローバイガス(２０)の吸い込み量をほぼ同じにできることが分かった。このため、吸気管(１５)の形状に拘わらず、アイドル運転安定化等に関し、同等の機能を得ることができる。
吸気管(１５)の吸気出口部(１５ｃ)は内径が変化しない管部分で構成している。
【００３５】
図４(Ａ)(Ｂ)、図５(Ａ)(Ｂ)に示す第２実施形態では、吸気管(１５)は真っ直ぐな直管で、水平管部分(１５ａ)の基端部にフランジ(３５)を備えている。
図６(Ａ)(Ｂ)、図７(Ａ)(Ｂ)に示す第３実施形態では、吸気管(１５)は横曲がりのベント管で、前後方向に真っ直ぐに延びる水平管部分(１５ａ)と横曲がり管部分(１５ｆ)とを備え、水平管部分(１５ａ)の基端部にフランジ(３５)を備えている。
第２実施形態と第３実施形態のいずれの場合にも、ブローバイガス吸込管(１８)は真っ直ぐな直管で、基端側のブローバイガス出口通路(１８ａ)の外周にオネジ部を設け、これを取付孔(３６)のメネジ部にネジ嵌合させ、先端側のブローバイガス入口通路(１８ｂ)は基端側のブローバイガス出口通路(１８ａ)と同様に斜め下向きとなっている。
他の構成と機能は第１実施形態と同じであり、図４(Ａ)(Ｂ)〜図７(Ａ)(Ｂ)中、第１実施形態と同一の要素には、図１(Ａ)(Ｂ)、図２(Ａ)(Ｂ)と同一の符号を付しておく。
【符号の説明】
【００３６】
(１) キャニスタ
(２) 蒸発燃料入口
(３) 空気入口
(４) パージガス出口
(５) 燃料タンク
(６) 蒸発燃料出口
(７) 吸気通路
(８) パージガス吸込口
(９) 蒸発燃料
(１０) 空気
(１１) パージガス
(１２) スロットルボディ
(１２ａ) 吸気入口部
(１３) スロットル吸気通路
(１４) スロットル弁
(１５) 吸気管
(１５ａ) 水平管部分
(１５ｂ) 上周壁
(１５ｃ) 吸気出口部
(１５ｄ) 内部通路
(１６) 周壁
(１７) パージガス吸込管
(１８) ブローバイガス吸込管
(１８ａ) ブローバイガス出口通路
(１９) ブリーザ室
(２０) ブローバイガス
(２６) チョーク弁
【図１】
2010203430.tif 000003
【図２】
2010203430.tif 000004
【図３】
2010203430.tif 000005
【図４】
2010203430.tif 000006
【図５】
2010203430.tif 000007
【図６】
2010203430.tif 000008
【図７】
2010203430.tif 000009